(57)【要約】      （修正有）【課題】回転篩を土石から保護することでき、回転篩から篩い出された土石をならすことができるトロンメルを提供する。【解決手段】自走式作業機１のアーム８に装着され土石を篩い分ける為のトロンメル１０は、筒状の回転篩３０、回転篩３０を回転自在に収容する収容部２１を有する本体フレーム２０を備え、本体フレーム２０の下端部分に、回転篩３０を土石から保護する機能と、回転篩３０から篩い出された土石をならす機能とを有する１対の板状部材６０が設けられている。複数の板状部材６０は、本体フレーム２０の１対の下部連結フレーム２５の長さ方向と平行方向へ延び、１対の下部連結フレーム２５から下側に張出すように配置され、具体的には、１対の下部連結フレーム２５に夫々固着されて傾斜状に設けられている。【選択図】図１
0003215462.tif 000002
【実用新案登録請求の範囲】
【請求項１】
作業機のアームに装着され土石を篩い分ける為のトロンメルにおいて、
筒状の回転篩と、
前記回転篩を回転自在に収容する収容部を有する本体フレームとを備え、
前記本体フレームの下端部分に、前記回転篩を土石から保護する機能と、前記回転篩から篩い出された土石をならす機能とを有する複数の板状部材を設けたことを特徴とするトロンメル。
【請求項２】
前記本体フレームは、前記回転篩を回転させる駆動部を有する前部フレームと、ショベルを有する後部フレームと、前記前部フレームと前記後部フレームとを連結する複数の連結フレームとを有し、
前記複数の板状部材は、前記複数の連結フレームのうちの最下部の下部連結フレームの長さ方向と平行方向へ延び、前記下部連結フレームから下側に張出すように配置されたことを特徴とする請求項１に記載のトロンメル。
【請求項３】
前記複数の板状部材は、前記下部連結フレームに固着されて傾斜状に設けられたことを特徴とする請求項２に記載のトロンメル。
【考案の詳細な説明】
【技術分野】
【０００１】
本考案は、作業機のアームに装着され土石を篩い分ける為のトロンメルに関する。
【背景技術】
【０００２】
従来より、作業機のアームに装着されるトロンメルとして、回転篩を油圧モータ等を有する駆動部により回転させるものが実用に供されている（例えば、特許文献１）。この種のトロンメルは本体フレームを有し、この本体フレームが、回転篩を回転自在に収容する収容部を有すると共に、所謂バックホータイプのトロンメルでは、前記駆動部を有する前部フレームと、ショベルを有する後部フレームと、前部フレームと後部フレームとを連結する複数の連結フレームとを有する。
【先行技術文献】
【特許文献】
【０００３】
【特許文献１】特開２００９−２６２０３９号公報
【考案の概要】
【考案が解決しようとする課題】
【０００４】
特許文献１のようなトロンメルにおいては、本体フレームが格子状に形成され、本体フレームの少なくとも下面側には、回転篩により篩い出された土石を外部へ排出する開口が形成されているため、アーム等を作動させショベルにより地面又は地中にある土石を回転篩に掬い入れる際、その土石に回転篩が接触して損傷する虞がある。また、このような本体フレームでは、回転篩により篩い出された土石を上手くならすことができないし、土石をならそうとすると、その土石に回転篩が接触して損傷する虞がある。
【０００５】
本考案の目的は、回転篩が土石に接触して破損するのを防止することができ、回転篩から篩い出された土石を上手くならすことができるトロンメルを提供することである。
【課題を解決するための手段】
【０００６】
請求項１の考案は、作業機のアームに装着され土石を篩い分ける為のトロンメルにおいて、筒状の回転篩と、前記回転篩を回転自在に収容する収容部を有する本体フレームとを備え、前記本体フレームの下端部分に、前記回転篩を土石から保護する機能と、前記回転篩から篩い出された土石をならす機能とを有する複数の板状部材を設けたことを特徴とする。
【０００７】
上記構成のトロンメルによれば、アーム等を作動させショベルにより地面又は地中にある土石が回転篩に掬い入れられ、その土石が回転篩によって篩い分けられる。本体フレームの下端部分に設けられた複数の板状部材が、回転篩を土石から保護する機能と、回転篩から篩い出された土石をならす機能とを有する。つまり、複数の板状部材により、ショベルにより地面又は地中にある土石を回転篩に掬い入れる際、その土石に回転篩が接触して破損するのを防止することができ、また、回転篩により篩い出された土石を上手くならすことができ、このように土石をならす際も、その土石に回転篩が接触して損傷するのを防止することができる。
【０００８】
請求項２の考案は、請求項１の考案において、前記本体フレームは、前記回転篩を回転させる駆動部を有する前部フレームと、ショベルを有する後部フレームと、前記前部フレームと前記後部フレームとを連結する複数の連結フレームとを有し、前記複数の板状部材は、前記複数の連結フレームのうちの最下部の下部連結フレームの長さ方向と平行方向へ延び、前記下部連結フレームから下側に張出すように配置されたことを特徴とする。
【０００９】
上記構成のトロンメルによれば、アーム等を作動させ本体フレームを後方へ移動させることにより、ショベルにより地面又は地中にある土石が回転篩に掬い入れられる。駆動部により回転篩が回転されるため、その回転篩によって土石が確実に篩い分けられる。複数の板状部材は、下部連結フレームの長さ方向と平行方向へ延び、下部連結フレームから下側に張出すように配置されているため、回転篩を土石から保護する機能と、回転篩から篩い出された土石をならす機能とを確実に得ることができる。
【００１０】
請求項３の考案は、請求項２の考案において、前記複数の板状部材は、前記下部連結フレームに固着されて傾斜状に設けられたことを特徴とする。
上記構成のトロンメルによれば、複数の板状部材を下部連結フレームを利用して容易に確実に、しかも、土石をならす機能を高めるように設けることができ、また、複数の板状部材の取付け強度を高めることもできる。
【考案の効果】
【００１１】
本考案のトロンメルによれば、回転篩が土石に接触して破損するのを防止することができ、回転篩から篩い出された土石を上手くならすことができる
【図面の簡単な説明】
【００１２】
【図１】本考案の実施例に係るトロンメルを備えた自走式作業機の側面図である。
【図２】トロンメルの側面図である。
【図３】トロンメルの平面図である。
【図４】トロンメルの後面図である。
【図５】図２のＶ−Ｖ線断面図である。
【図６】第１の変更例に係る図５相当図である。
【図７】第２の変更例に係る図５相当図である。
【考案を実施するための形態】
【００１３】
以下、本考案を実施するための形態について実施例に基づいて説明する。尚、トロンメルが図１に仮想線（図２に実線）で示す姿勢で、自走式作業機の運転部から視た前後・左右・上下を前後・左右・上下として説明する。
【実施例】
【００１４】
図１に示すように、自走式作業機１は、１対のクローラ２ａを有する下部走行体２と、下部走行体２上に旋回可能に設けられた運転部３ａを有する上部旋回体３と、上部旋回体３から前方へ延びる作業装置４とを備えている。上部旋回体３の後部には、油圧ポンプと油圧ポンプを駆動するエンジンとを含む油圧発生装置５が搭載されている。
【００１５】
作業装置４は、上部旋回体３に基端部が枢支されたブーム６と、上部旋回体３に対してブーム６を回動させる１対の第１油圧シリンダ７と、ブーム６の先端部に基端側部分が枢支されたアーム８と、ブーム６に対してアーム８を回動させる第２油圧シリンダ９と、アーム８の先端部に枢支されアタッチメントとして装着されたトロンメル１０と、アーム８に対してトロンメル１０を回動させる第３油圧シリンダ１１とを備えている。
【００１６】
第１油圧シリンダ７の両端部が上部旋回体３とブーム６に夫々回動自在に連結され、第２油圧シリンダ９の両端部がブーム６とアーム８に夫々回動自在に連結され、第３油圧シリンダ１１の両端部がアーム８とリンク１２，１３の基端部に夫々連結されている。アーム８の先端部にトロンメル１０の本体フレーム２０が枢支され、リンク１２の先端部がアーム８に、リンク１３の先端部が本体フレーム２０に夫々回動自在に連結されている。
【００１７】
トロンメル１０について説明する。
図１〜図５に示すように、トロンメル１０は、所謂バックホー（ドラグショベル）タイプのものであり、本体フレーム２０、土石を篩い分ける筒状の回転篩３０、回転篩３０に土石を掬い入れるショベル４０、回転篩３０を回転させる駆動部５０等を備えている。尚、図示の回転篩３０は、その目孔のサイズが比較的大きいものであるが、種々の目孔のサイズの回転篩３０に交換可能になっている。
【００１８】
本体フレーム２０は、回転篩３０を回転自在に収容する収容部２１を有すると共に、駆動部５０を有する前部フレーム２２と、ショベル４０を有する後部フレーム２３と、前部フレーム２２と後部フレーム２３とを連結する複数の連結フレーム２４，２５（上部ブラケット２４、左右１対の下部連結フレーム２５）とを有する。
【００１９】
前部フレーム２２と上部ブラケット２４とがＬ形のフレームを形成し、上部ブラケット２４の後部分に、アーム８の先端部とリンク１３の先端部とが夫々枢支されている。前部フレーム２２の下部に平面視門形の補助フレーム２６が結合され、補助フレーム２６の左右両端部に１対の下部連結フレーム２５の前端部が結合されている。上部ブラケット２４の後部には、後部フレーム２３の上部が左右方向に向く軸２３ａにより回動自在に連結され、後部フレーム２３の下部が１対の下部連結フレーム２５の後端部に結合されている。
【００２０】
回転篩３０は、本体フレーム２０の収容部２１に収容されて、その開放端を後方へ向けて配置されている。後部フレーム２３に複数（４つ）の遊転輪３１を夫々収容した複数の遊転輪ケース３２が取付けられ、これら複数の遊転輪３１により、回転篩３０の後部の外周部が回転自在にガイド支持されている。ショベル４０は、後部フレーム２３の下部に設けられ、その下部後端部に複数（５つ）の爪４０ａを有する。
【００２１】
駆動部５０は油圧モータ５１を有し、この油圧モータ５１（駆動軸）に回転篩３０の前部の中心部が直結されている。ここで、後部フレーム２３と１対の下部連結フレーム２５との結合を解除し、後部フレーム２３を前上方に回動させて開け、また、油圧モータ５１と回転篩３０との結合を解除して、回転篩３０を前側から交換することができる。
【００２２】
ところで、図１、図２、図４、図５に示すように、本体フレーム２０の下端部分に、回転篩３０を土石から保護する機能と、回転篩３０から篩い出された土石をならす機能とを有する左右１対の板状部材６０が設けられている。
【００２３】
図２に示すトロンメル１０の姿勢において、１対の下部連結フレーム２５は、複数の連結フレーム２４，２５のうち最下部に位置して、前後方向へ水平に延び、つまり、１対の板状部材６０は、前後方向へ水平に延び、そして、１対の下部連結フレーム２５から下側に張出すように配置されている。
【００２４】
１対の下部連結フレーム２５は、前部フレーム２２及び後部フレーム２４の下端よりも上方に位置し、１対の板状部材６０は、下部連結フレーム２５の前後長（前部フレーム２２と後部フレーム２４間の長さ）と略同じ前後長を有する帯板状に形成され、それらの上端部が１対の下部連結フレーム２５に夫々固着され、正面視にてハ字形状となるように鉛直に対して約４５度傾斜した傾斜状に設けられている。
【００２５】
また、１対の板状部材６０の下端は、前部フレーム２２及びショベル４０（後部フレーム２４）の下端と略同じ高さ位置となり、１対の板状部材６０は、前部フレーム２２及びショベルと協働して、回転篩から篩い出された土石をならすことができる。
【００２６】
以上説明したトロンメル１０によれば、次の作用・効果が得られる。
例えば、トロンメル１０を図１に仮想線（図２に実線）で示す姿勢にして、ブーム６やアーム８等を作動させ本体フレーム２０を後方へ移動させることにより、ショベル４０により地面又は地中にある土石が回転篩３０に掬い入れられる。次に、トロンメル１０を傾動させ、例えば、図１に実線で示す姿勢にして、駆動部５０により回転篩３０が回転され、その回転篩３０によって土石が篩い分けられる。
【００２７】
本体フレーム２０の下端部分に設けられた１対の板状部材６０が、回転篩３０を土石から保護する機能と、回転篩３０から篩い出された土石をならす機能とを有し、つまり、１対の板状部材６０により、ショベル４０により地面又は地中にある土石を回転篩に掬い入れる際、その土石に回転篩３０が接触して破損するのを防止することができ、また、例えば、上部旋回体３の旋回によりトロンメル１０を左右に移動させることにより、回転篩３０により篩い出された土石を上手くならすことができ、このように土石をならす際も、その土石に回転篩３０が接触して損傷するのを防止することができる。
【００２８】
１対の板状部材６０は、複数の連結フレーム２４，２５のうちの最下部の１対の下部連結フレーム２５の長さ方向と平行方向へ延び、１対の下部連結フレームから下側に張出すように配置されているため、回転篩３０を土石から保護する機能と、回転篩３０から篩い出された土石をならす機能とを確実に得ることができる。
【００２９】
１対の板状部材６０は、１対の下部連結フレーム２５に夫々固着されて傾斜状に設けられているため、１対の板状部材６０を１対の下部連結フレーム２５を利用して容易に確実に、しかも、土石をならす機能を高めるように設けることができ、また、１対の板状部材６０の取付け強度を高めることもできる。
【００３０】
次に、前記実施例を部分的に変更した変更例について説明する。
（１）図６に示すように、第１の変更例は、前記実施例の１対の板状部材６０を変更したものである。この第１の変更例の１対の板状部材６０Ａは、それらの上端部が１対の下部連結フレーム２５に夫々固着されて鉛直状に設けられている。尚、１対の板状部材６０Ａは、前記１対の板状部材６０Ａと同様に、下部連結フレーム２５の前後長と略同じ前後長を有する帯板状に形成され、１対の板状部材６０Ａの下端は、前部フレーム２２及びショベル４０の下端と略同じ高さ位置となっている。
【００３１】
（２）図７に示すように、第２の変更例は、前記実施例の１対の板状部材６０を残し、更に左右１対の板状部材６０Ｂを追加したものである。この第２の変更例の１対の板状部材６０Ｂは、それらの上端部が１対の下部連結フレーム２５に夫々固着され、正面視にて逆ハ字形状となるように鉛直に対して約４５度傾斜した傾斜状に設けられている。尚、１対の板状部材６０Ｂは、１対の板状部材６０Ａと同様に、下部連結フレーム２５の前後長と略同じ前後長を有する帯板状に形成され、１対の板状部材６０Ａの下端は、前部フレーム２２及びショベル４０の下端と略同じ高さ位置となっている。
【００３２】
（３）その他、本考案の趣旨を逸脱しない範囲において、他種々の変更を付加して実施することができる。例えば、回転篩３０を土石から保護する機能と、回転篩３０から篩い出された土石をならす機能とを有する板状部材であれば、前記板状部材以外に、或いは前記板状部材の代わりに、下部連結フレーム２３から下側に張出すように配置された種々の数（例えば、１つでもよい）や形状の板状部材を設けてもよい。
【００３３】
また、前記実施例では、トロンメル１０ドラグショベル（バックホー）タイプとして使用しているが、所謂ローディングショベルタイプとして使用することもできる。この場合、トロンメル１０を前後逆向きにして、本体フレーム２０は、ショベル４０を有する前部フレーム２３と、駆動部５０を有する後部フレーム２２と、前部フレーム２３と後部フレーム２２とを連結する複数の連結フレーム２４，２５（上部ブラケット２４、左右１対の下部連結フレーム２５）とを有するものとなる。
【符号の説明】
【００３４】
１  自走式作業機（作業機）
８  アーム
１０  トロンメル
２０  本体フレーム
２１  収容部
２２  前部フレーム
２３  後部フレーム
２４  上部ブラケット（連結フレーム）
２５  下部連結フレーム（連結フレーム）
３０  回転篩
４０  ショベル
５０  駆動部
６０  板状部材
【図１】
0003215462.tif 000003
【図２】
0003215462.tif 000004
【図３】
0003215462.tif 000005
【図４】
0003215462.tif 000006
【図５】
0003215462.tif 000007
【図６】
0003215462.tif 000008
【図７】
0003215462.tif 000009